(57)【要約】安全かつコピー防止のデータ配信の方法および装置を開示する。本発明の一実施形態では、低地球軌道上の衛星ネットワークを用いて、地上局から、住居に設置したセットトップボックスへデータのパケットを送る。データは、ネットワークの容量が完全に使用されていない期間に地上局からセットトップボックスへ送る。地上局から衛星へ、そして加入者へ送られるデータのパケットは厳重に暗号化される。このデータは常に安全保護ネットワークに限定され、インターネットや他の公共ネットワークには送り出されない。本発明により送られるデータは、ビデオまたはオーディオ番組、ビジネス・データ、あるいは他の任意のタイプの情報であり得る。加入者の家屋に到達したとき、受信された信号は解読されるが、受信機が外部ディスク・ドライブも外部テープ・ドライブも出力ポートも含まないので、コピーできない。
2004501561.tif 000002
【特許請求の範囲】
【請求項１】
ネットワークの過剰な能力を、最大使用量未満の期間に前記ネットワークを介してデータを搬送することによって、利用するステップと、
前記最大使用量未満の期間に前記データを受信するステップと、
長期間にわたって前記データを蓄積するステップと、
前記長期間の後に、オンデマンドで使用するために前記データを取り出すステップと
を備える方法。
【請求項２】
前記ネットワークが１または複数の衛星を含む、請求項１に記載の方法。
【請求項３】
前記衛星が低地球軌道で動作する、請求項２に記載の方法。
【請求項４】
前記衛星が中地球軌道で動作する、請求項２に記載の方法。
【請求項５】
前記衛星が高地球軌道で動作する、請求項２に記載の方法。
【請求項６】
前記衛星が静止地球軌道で動作する、請求項２に記載の方法。
【請求項７】
前記衛星が中間地球軌道で動作する、請求項２に記載の方法。
【請求項８】
前記ネットワークがサブオービタル・プラットフォームを含む、請求項２に記載の方法。
【請求項９】
前記ネットワークが地上有線ネットワークを含む、請求項２に記載の方法。
【請求項１０】
前記ネットワークが地上ワイヤレス・ネットワークを含む、請求項２に記載の方法。
【請求項１１】
データの複数のデジタル化パケットを送信するゲートウェイ手段と、
中継手段であって、前記ゲートウェイ手段から、前記データの複数のデジタル化パケットを受信し、前記中継手段の全通信能力が完全に利用されていない期間に再送信する中継手段と、
前記中継手段から送信された前記データの複数のデジタル化パケットを収集する受信機手段
とを備え、
前記受信機手段が、前記データの複数のデジタル化パケットを、長期間にわたって増分式に蓄積する記憶手段を含み、
一般に完全なプログラムが蓄積された後に、前記データの複数のデジタル化パケットを取り出して使用する、
システム。
【請求項１２】
前記受信機手段が、不正コピーを行うのに使用される可能性があるローカル無線周波数伝送を除去するように遮蔽される、請求項１１に記載のシステム。
【請求項１３】
前記受信機手段が、不正コピーを防止するために不正操作防止機能を有する、請求項１１に記載のシステム。
【請求項１４】
前記中継手段が衛星を含む、請求項１１に記載のシステム。
【請求項１５】
前記中継手段がサブオービタル・プラットフォームを含む、請求項１１に記載のシステム。
【請求項１６】
前記中継手段が有線地上ネットワークを含む、請求項１１に記載のシステム。
【請求項１７】
前記中継手段がワイヤレス地上ネットワークを含む、請求項１１に記載のシステム。
【請求項１８】
前記受信機手段が地表面に配される、請求項１１に記載のシステム。
【請求項１９】
前記受信機手段が地表面の上に配される、請求項１１に記載のシステム。
【請求項２０】
前記受信機手段が固定端末に配される、請求項１１に記載のシステム。
【請求項２１】
前記受信機手段がポータブル端末に配される、請求項１１に記載のシステム。
【請求項２２】
前記受信機手段がモバイル端末に配される、請求項１１に記載のシステム。
【請求項２３】
前記受信機手段がサブオービタル・プラットフォームに配される、請求項１１に記載のシステム。
【請求項２４】
前記受信機手段が軌道上の衛星に配される、請求項１１に記載のシステム。
【請求項２５】
データのデジタル化パケットを通信するネットワーク手段を介して、前記データのデジタル化パケットを送信する送信手段であって、前記データが複数の許可されたユーザへ送信されるものである、送信手段と、
送信される前記データのパケットを不正コピーから安全保護する暗号化手段と、
前記複数の許可されたユーザの各ユーザによってのみ、送信された前記データのパケットを解読する解読手段と、
安全保護された前記データのパケットを格納する安全保護記憶手段と、
デコードされた前記データのパケットに含まれる情報を再生および表示する再生手段と
を備えるシステム。
【請求項２６】
前記データのデジタル化パケットが知的所有権のある情報を含む、請求項２５に記載の装置。
【請求項２７】
前記解読手段が前記許可されたユーザの各ユーザに固有である、請求項２５に記載の装置。
【請求項２８】
前記送信手段が、前記ネットワーク手段の全通信能力が完全に利用されていない期間に前記ネットワーク手段を利用する、請求項２５に記載の装置。
【請求項２９】
前記データのパケットが、前記複数のユーザの各ユーザの複数の保管場所に配信される、請求項２５に記載の装置。
【請求項３０】
前記送信手段が遍在する、請求項２５に記載の装置。
【請求項３１】
前記ネットワーク手段がグローバルである、請求項２５に記載の装置。
【請求項３２】
前記ネットワーク手段がスケーラブルである、請求項２５に記載の装置。
【請求項３３】
前記解読手段が、第１部分解読手段と第２部分解読手段とに区分される、請求項２５に記載の装置。
【請求項３４】
前記記憶手段が、低データ・レートのデータ・アキュムレータと、高データ・レートのデータ・アキュムレータとに区分される、請求項２５に記載の装置。
【請求項３５】
前記データのパケットがデジタル化された高精細度ビデオ信号を含む、請求項２５に記載の装置。
【請求項３６】
前記データのパケットがデジタル化されたオーディオ信号を含む、請求項２５に記載の装置。
【請求項３７】
前記データのパケットが、デジタル化されたテキスト・データを含む、請求項２５に記載の装置。
【請求項３８】
前記再生手段が、デコードされた前記データのパケットを再生および表示する高精細度テレビジョン手段を含む、請求項２５に記載の装置。
【請求項３９】
前記再生手段が、デコードされた前記データのパケットを再生および表示するコンピュータを含む、請求項２５に記載の装置。
【請求項４０】
前記再生手段が、デコードされた前記データのパケットを再生および表示するオーディオ・テープ・プレーヤを含む、請求項２５に記載の装置。
【請求項４１】
前記再生手段が、デコードされた前記データのパケットを再生および表示するビデオ・テープ・プレーヤを含む、請求項２５に記載の装置。
【請求項４２】
前記知的所有権のある情報が映画を含む、請求項２６に記載の装置。
【請求項４３】
前記知的所有権のあるデータが劇場のプレゼンテーションを含む、請求項２６に記載の装置。
【請求項４４】
前記知的所有権のあるデータが音楽のプレゼンテーションを含む、請求項２６に記載の装置。
【請求項４５】
前記知的所有権のあるデータが録音を含む、請求項２６に記載の装置。
【請求項４６】
前記知的所有権のあるデータが書籍を含む、請求項２６に記載の装置。
【請求項４７】
前記送信手段が前記ネットワーク手段をオーバーレイする、請求項２８に記載の装置。
【請求項４８】
前記第１部分解読手段が前記記憶手段に配される、請求項３３に記載の装置。
【請求項４９】
前記第２部分解読手段が前記再生手段に配される、請求項３３に記載の装置。
【請求項５０】
伝播信号であって、
データを搬送する能力を有する複数のデジタル化パケットを備え、
前記デジタル化パケットの各パケットが、ネットワークによって移送され、
前記デジタル化パケットの各パケットが、前記ネットワークの使用されていない能力を使用して移送されるものである、
伝播信号。
【請求項５１】
前記データがデジタル化された高精細度ビデオ信号を含む、請求項５０に記載の伝播信号。
【請求項５２】
前記データがデジタル化されたオーディオ信号を含む、請求項５０に記載の伝播信号。
【請求項５３】
前記データがデジタル化されたテキスト・データを含む、請求項５０に記載の伝播信号。
【請求項５４】
安全保護されたデータのパケットを送信する方法であって、
デジタル化されたデータのパケットを送信する送信手段を提供するステップと、
暗号化手段を用いて、送信される前記データのパケットを不正コピーから安全保護するステップと、
通信用のネットワーク手段を介して、複数の許可されたユーザへ、安全保護されデジタル化された前記データのパケットを送信するステップであって、送信が、前記ネットワーク手段の全通信能力が完全に利用されていない期間に行われる、ステップと、
前記複数の許可されたユーザの各ユーザに、前記複数の許可されたユーザの各ユーザに固有の送信された安全保護されたデジタル化されたパケットをデコードするための解読手段を提供するステップと、
前記許可されたユーザの各ユーザに、安全保護された前記データのパケットを格納する安全保護記憶手段を提供するステップと、
前記許可されたユーザの各ユーザに、デコードされた前記データのパケットに含まれる情報を再生および表示する再生手段を提供するステップと
を備える方法。
【請求項５５】
前記複数の許可されたユーザの各ユーザに、前記複数の許可されたユーザの各ユーザに固有の送信された前記パケットをデコードする解読手段を提供する前記ステップが、前記複数の許可されたユーザの各ユーザに、固有の前記解読手段を提供するステップを含む、請求項５４に記載の方法。
【請求項５６】
通信用のネットワーク手段を介して複数の許可されたユーザに、安全保護されたデジタル化された前記データのパケットを送信する前記ステップが、送信のために前記ネットワーク手段の使用されていない能力を用いるステップを含む、請求項５４に記載の方法。
【請求項５７】
通信用のネットワーク手段を介して複数の許可されたユーザに、安全保護されたデジタル化された前記データのパケットを送信する前記ステップが、安全保護されたデジタル化された前記データのパケットを、前記複数の許可されたユーザの各ユーザの、複数の保管場所に配信するステップを含む、請求項５４に記載の方法。
【請求項５８】
安全保護されたデジタル化された前記データのパケットを、前記複数の許可されたユーザの各ユーザの、複数の保管場所に配信する前記ステップが、デジタル化された映画を配信するステップを含む、請求項５７に記載の方法。
【請求項５９】
安全保護されたデジタル化された前記データのパケットを、前記複数の許可されたユーザの各ユーザの、複数の保管場所に配信する前記ステップが、デジタル化された演劇のプレゼンテーションを配信するステップを含む、請求項５７に記載の方法。
【請求項６０】
安全保護されたデジタル化された前記データのパケットを、前記複数の許可されたユーザの各ユーザの、複数の保管場所に配信する前記ステップが、デジタル化された音楽のプレゼンテーションを配信するステップを含む、請求項５７に記載の方法。
【請求項６１】
安全保護されたデジタル化された前記データのパケットを、前記複数の許可されたユーザの各ユーザの、複数の保管場所に配信する前記ステップが、デジタル化された録音を配信するステップを含む、請求項５７に記載の方法。
【請求項６２】
安全保護されたデジタル化された前記データのパケットを、前記複数の許可されたユーザの各ユーザの、複数の保管場所に配信する前記ステップが、デジタル化された書籍を配信するステップを含む、請求項５７に記載の方法。
【請求項６３】
前記送信手段は遍在的するものである、請求項５４に記載の方法。
【請求項６４】
前記送信手段がグローバルである、請求項５４に記載の方法。
【請求項６５】
前記ネットワーク手段がスケーラブルである、請求項５４に記載の方法。
【請求項６６】
前記送信手段が前記ネットワーク手段をオーバーレイする、請求項５４に記載の方法。
【請求項６７】
前記複数の許可されたユーザの各ユーザに、前記複数の許可されたユーザの各ユーザに固有の送信される前記パケットをデコードするための解読手段を提供する前記ステップが、前記解読手段を第１部分解読手段と、第２部分解読手段とに区分するステップを含む、請求項５４に記載の方法。
【請求項６８】
前記許可されたユーザの各ユーザに、安全保護された前記データのパケットを格納する安全保護記憶手段を提供する前記ステップが、前記記憶手段を低データ・レートのデータ・アキュムレータと、高データ・レートのデータ・アキュムレータとに区分するステップを含む、請求項５４に記載の方法。
【請求項６９】
複数の許可されたユーザに、安全保護されたデジタル化された前記データのパケットを送信する前記ステップが、デジタル化された高精細度ビデオ信号を含む前記データのパケットを送信するステップを含む、請求項５４に記載の方法。
【請求項７０】
複数の許可されたユーザに、安全保護されたデジタル化された前記データのパケットを送信する前記ステップが、デジタル化されたオーディオ信号を含む前記データのパケットを送信するステップを含む、請求項５４に記載の方法。
【請求項７１】
複数の許可されたユーザに、安全保護されたデジタル化された前記データのパケットを送信する前記ステップが、デジタル化されたテキスト・ストリングを含む前記データのパケットを送信するステップを含む、請求項５４に記載の方法。
【請求項７２】
前記許可されたユーザの各ユーザに、デコードされた前記データのパケットを再生および表示する再生手段を提供する前記ステップが、前記許可されたユーザに、高精細度テレビジョンを再生および表示する手段を提供するステップを含む、請求項５４に記載の方法。
【請求項７３】
前記許可されたユーザの各ユーザに、デコードされた前記データのパケットを再生および表示する再生手段を提供する前記ステップが、前記許可されたユーザの各ユーザに、デコードした前記データのパケットを再生および表示するコンピュータを提供するステップを含む、請求項５４に記載の方法。
【請求項７４】
前記許可されたユーザの各ユーザに、デコードされた前記データのパケットを再生および表示する再生手段を提供する前記ステップが、前記許可されたユーザに、デコードした前記データのパケットを再生および表示するオーディオ・プレーヤを提供するステップを含む、請求項５４に記載の方法。
【請求項７５】
前記許可されたユーザの各ユーザに、デコードされた前記データのパケットを再生および表示する再生手段を提供する前記ステップが、前記許可されたユーザに、デコードされた前記データのパケットを再生および表示するビデオ・プレーヤを提供するステップを含む、請求項５４に記載の方法。
【請求項７６】
前記許可されたユーザの各ユーザに、デコードされた前記データのパケットを再生および表示する再生手段を提供する前記ステップが、前記許可されたユーザに、前記デジタル化された書籍を再生および表示するページャ・バインダを含むプリンタを提供するステップを含む、請求項６２に記載の方法。
【請求項７７】
前記許可されたユーザの各ユーザに、デコードされた前記データのパケットを再生および表示する再生手段を提供する前記ステップが、前記許可されたユーザに、前記デジタル化されたテキストのストリングを再生および表示するページャ・バインダを含むプリンタを提供するステップを含む、請求項７１に記載の方法。
【請求項７８】
前記許可されたユーザの各ユーザに、固有の前記解読手段を提供する前記ステップが、前記許可されたユーザに第１部分解読手段および第２部分解読手段を提供するステップを含む、請求項５５に記載の方法。
【請求項７９】
前記許可されたユーザに第１部分解読手段および第２部分解読手段を提供する前記ステップが、前記記憶手段に前記第１部分解読手段を配するステップを含む、請求項７８に記載の方法。
【請求項８０】
前記許可されたユーザに第１部分解読手段および第２部分解読手段を提供する前記ステップが、前記再生手段に前記第２部分解読手段を配するステップを含む請求項７８に記載の方法。
【請求項８１】
ビジネスを行う方法であって、
デジタル化された複数のデータのパケットを安全保護アーカイブに配するステップと、
安全保護デジタル配信システムの全通信能力が完全に利用されていない期間に、前記安全保護デジタル配信システムを使用して、前記デジタル化された複数のデータのパケットを顧客へ配信するステップと
を備え、
前記顧客が、前記データのパケットを再生および表示する能力を有する、
方法。
【請求項８２】
前記デジタル化された複数のデータのパケットを安全保護アーカイブに配する前記ステップが、知的所有権のある情報を含むデジタル化された複数のデータのパケットを、前記安全保護アーカイブに配するステップを含む、請求項８１に記載の方法。
【請求項８３】
知的所有権のある情報を含むデジタル化された複数のデータのパケットを、前記安全保護アーカイブに配する前記ステップが、
暗号化手段を用いて、前記デジタル化されたデータのパケットを不正コピーから保護するステップと、
前記デジタル化されたデータのパケットを通信するネットワーク手段を介して、安全保護された前記デジタル化されたデータのパケットを前記顧客へ送信するステップと、
前記デジタル化されたデータのパケットを保存する安全保護記憶手段を前記顧客に提供するステップと、
送信された前記パケットをデコードする解読手段を前記顧客に提供するステップであって、前記解読手段は前記顧客のみにより使用可能である、ステップと、
デコードされた前記データのパケットに含まれる情報を再生および表示する再生手段を前記顧客に提供するステップと
を含む、
請求項８２に記載の方法。
【請求項８４】
暗号化手段を用いて、前記デジタル化されたデータのパケットを不正コピーから保護する前記ステップが、
前記デジタル化されたデータのパケットを第１レベルの暗号化に暗号化するステップと、
前記第１レベルの暗号化に、前記顧客に固有の鍵を提供するステップと、
前記第１レベルの暗号化がなされた前記デジタル化されたデータのパケットを、第２レベルの暗号化に暗号化するステップと
を含む、
請求項８３に記載の方法。
【請求項８５】
送信された前記パケットをデコードする解読手段を前記顧客に提供する前記ステップであって、前記解読手段が前記顧客のみに使用可能である前記ステップが、
前記安全保護記憶手段に配された第１解読手段を使用して、送信された前記パケットを部分的に解読するステップと、
前記顧客が前記データのパケットにアクセスし表示する準備ができるまで、前記安全保護記憶手段内に、送信され部分的に解読された前記パケットを格納するステップと、
前記再生手段に配置された第２解読手段を用いて、送信され部分的に解読された前記パケットを解読するステップであって、前記第２解読手段が、前記顧客に固有の前記鍵を使用するものである、ステップと
を含む、
請求項８４に記載の方法。
【請求項８６】
前記送信手段は遍在する、請求項８３に記載の方法。
【請求項８７】
前記送信手段がグローバルである、請求項８３に記載の方法。
【請求項８８】
前記ネットワーク手段がスケーラブルである、請求項８３に記載の方法。
【請求項８９】
前記送信手段が前記ネットワーク手段をオーバーレイする、請求項８３に記載の方法。
【請求項９０】
前記許可されたユーザの各ユーザに、安全保護された前記データのパケットを格納する安全保護記憶手段を提供する前記ステップが、前記記憶手段を低データ・レートのデータ・アキュムレータと、高データ・レートのデータ・アキュムレータとに区分するステップを含む、請求項８３に記載の方法。
【請求項９１】
映画を配信するように適合され、
デジタル化された映画を含む安全保護されたデジタル化された前記データのパケットを、前記顧客の複数の保管場所に配信するステップを更に含む請求項８３に記載の方法。
【請求項９２】
音楽のプレゼンテーションを配信するように適合され、
デジタル化された音楽のプレゼンテーションを含む安全保護されたデジタル化された前記データのパケットを、前記顧客の複数の保管場所に配信するステップを更に含む請求項８３に記載の方法。
【請求項９３】
録音を配信するように適合され、
デジタル化された録音を含む安全保護されたデジタル化された前記データのパケットを、前記顧客の複数の保管場所に配信するステップを更に含む請求項８３に記載の方法。
【請求項９４】
書籍を配信するように適合され、
デジタル化された書籍を含む安全保護されたデジタル化された前記データのパケットを、前記顧客の複数の保管場所に配信するステップと、
ページ・バインダを含むプリンタを使用して、前記デジタル化された書籍を前記顧客の場所で印刷するステップと
を更に含む請求項８３に記載の方法。
【請求項９５】
劇場のプレゼンテーションを配信するように適合され、
デジタル化された演劇のプレゼンテーションを含む安全保護されたデジタル化された前記データのパケットを、前記顧客の複数の保管場所に配信するステップを更に含む請求項８３に記載の方法。
【請求項９６】
高精細度テレビジョン・プログラムを配信するように適合され、
デジタル化された高精細度テレビジョン・プログラムを含む安全保護されたデジタル化された前記データのパケットを、複数の保管場所に配信するステップを更に含む請求項８３に記載の方法。
【請求項９７】
テレビジョン放送局によって既存のチャネル上で前記データを送信するステップであって、前記データが画像走査線に挿入されるものであるステップを更に含む請求項１に記載の方法。
【請求項９８】
テレビジョン放送局によって既存のチャネル上で前記データを送信するステップであって、前記データが、垂直帰線消去期間（ＶＢＩ）に対応する走査線に挿入されるものであるステップを更に含む請求項９６に記載の方法。
【請求項９９】
テレビジョン放送局によって既存のチャネル上で前記データを送信するステップであって、前記データが、０から１２０キロヘルツのテレビジョン信号の複合ベースバンドにおける副搬送波に挿入されるものであるステップを更に含む請求項９６に記載の方法。
【請求項１００】
テレビジョン放送局によって既存のチャネル上で前記データを送信するステップであって、前記データが、０から１２０キロヘルツのテレビジョン信号の複合ベースバンドにおける他の信号に挿入されるものであるステップを更に含む請求項９６に記載の方法。
【請求項１０１】
ＡＭ無線放送局によって既存のチャネル上で前記データを送信するステップを更に含む請求項９６に記載の方法。
【請求項１０２】
ＦＭ無線放送局によって既存のチャネル上で前記データを送信するステップを更に含む請求項９６に記載の方法。
【請求項１０３】
ＡＭ無線放送局によって既存のチャネル上で前記データを送信する前記ステップが、通常の消費者の受信機で可聴ではない信号によって前記データを送信するステップを含む請求項１０１に記載の方法。
【請求項１０４】
ＡＭ無線放送局によって既存のチャネル上で前記データを送信する前記ステップが、前記チャネルの中心周波数での副搬送波の変調のステップを含む請求項１０１に記載の方法。
【請求項１０５】
ＦＭ無線放送局によって既存のチャネル上で前記データを送信する前記ステップが、前記チャネルの中心周波数での副搬送波の変調のステップを含む請求項１０２に記載の方法。
【請求項１０６】
デジタル化されたデータのパケットを通信するネットワーク手段を介して前記データのパケットを送信する送信手段であって、前記データが複数の許可されたユーザに送信されるものであり、
ゲートウェイ手段を含み、
前記ゲートウェイ手段から複数のデジタル化された前記データのパケットを受信し、前記中継手段の全通信能力が完全に利用されていない期間に再送信する中継手段を更に含む
送信手段と、
前記送信手段から送信される複数のデジタル化された前記データのパケットを収集する受信機手段であって、
長期間にわたって増分式に、複数のデジタル化された前記データのパケットを蓄積する記憶手段を含み、
一般に完全なプログラムが蓄積された後に、複数のデジタル化された前記データのパケットを取り出して使用する、
受信機手段と、
を備える装置。
【請求項１０７】
前記送信手段が、既存のチャネルに対するテレビジョン放送局を含み、前記データが画像走査線に挿入される、請求項１０６に記載の装置。
【請求項１０８】
前記送信手段が、既存のチャネルに対するテレビジョン放送局を含み、前記データが、垂直帰線消去期間（ＶＢＩ）に対応するビデオ走査線に挿入される、請求項１０６に記載の装置。
【請求項１０９】
前記送信手段が、既存のチャネル上で送信するテレビジョン放送局を含み、前記データが、０から１２０キロヘルツのテレビジョン信号の複合ベースバンドにおける副搬送波に挿入される、請求項１０６に記載の装置。
【請求項１１０】
前記送信手段が、既存のチャネル上で送信するＡＭ無線放送局を含む、請求項１０６に記載の装置。
【請求項１１１】
前記送信手段が、既存のチャネル上で送信するＦＭ無線放送局を含む、請求項１０６に記載の装置。
【請求項１１２】
前記ＡＭ無線放送局が、通常の消費者の受信機で可聴ではない信号によって前記データを送信する、請求項１０６に記載の装置。
【請求項１１３】
前記ＦＭ無線放送局が、前記チャネルの中心周波数での副搬送波の変調によって前記データを送信する、請求項１１２に記載の装置。
【請求項１１４】
前記ＦＭ無線放送局が、前記チャネルの側波帯周波数での副搬送波の変調によって前記データを送信する、請求項１１２に記載の装置。
【請求項１１５】
前記ネットワークが、リモート・サーバ・ファームに格納されたファイルのライブラリから、安全保護され個人化されたファイルのコンテンツを配信するように用いられる、請求項１に記載の方法。
【請求項１１６】
前記安全保護され個人化されたファイルが、ワイヤレス端末へ配信される、請求項１１５に記載の方法。
【請求項１１７】
前記安全保護され個人化されたファイルが、ポータブル端末へ配信される、請求項１１５に記載の方法。
【請求項１１８】
前記安全保護され個人化されたファイルが、固定端末へ配信される、請求項１１５に記載の方法。
【請求項１１９】
前記ファイルが、ＭＰＥＧ−２、ＭＰＥＧ−４、ＭＰＥＧ−７などのフォーマット、または同等なフォーマットで構成されるような圧縮ファイルである、請求項１１６に記載の方法。
【請求項１２０】
新聞または定期刊行物の一部または全体を配信するのに使用される請求項１１６に記載の方法。
【請求項１２１】
ビデオ番組を配信するのに使用される請求項１１６に記載の方法。
【請求項１２２】
オーディオ・ファイルを配信するのに使用される請求項１１６に記載の方法。
【請求項１２３】
株式、債券、商品または投資、市場、または取引の情報に関するレポートを配信するのに使用される請求項１１６に記載の方法。
【請求項１２４】
個人化された金融情報を配信するのに使用される請求項１１６に記載の方法。
【請求項１２５】
フライト・スケジュールまたは他の旅行関係の情報を配信するのに使用される請求項１１６に記載の方法。
【請求項１２６】
地図、レストラン、ホテル、娯楽の案内、または他の旅行関係の情報を配信するのに使用される請求項１１６に記載の方法。
【請求項１２７】
ゲーム・プログラムを配信するのに使用される請求項１１６に記載の方法。
【請求項１２８】
スポーツ・ニュース、レース結果、賭け率、最新情報、統計、ハイライト、またはスポーツに関係する他の情報を配信するのに使用される請求項１１６に記載の方法。
【請求項１２９】
規制、申込み、またはレポートなどの、政府または会社のライブラリからの情報またはデータを配信するのに使用される請求項１１６に記載の方法。
【請求項１３０】
映画を劇場へ配信するのに使用される請求項１１６に記載の方法。
【請求項１３１】
安全保護メッセージ通信を提供するのに使用される請求項１１６に記載の方法。
【請求項１３２】
安全保護音声通信を提供するのに使用される請求項１１６に記載の方法。
【請求項１３３】
データを取得する方法であって、ユーザがユーザ・ユニットを操作して、後にアクセスするために、選択したデータをリクエストし、前記リクエストが、遠隔のデータ供給システムへ送られ、前記供給システムが、リクエストされた前記データを、１または複数の通信ネットワークが空いた能力を有するときに前記通信ネットワークを使用して異なる時間にユーザ・ユニットへパケットで供給し、前記ユーザ・ユニットが前記パケットを収集して、後のアクセスのために、前記選択したデータを組み上げる、方法。
【請求項１３４】
特に請求項１３３に記載の方法におけるユーザ・ユニットとして使用する装置であって、データをリクエストする手段と、第１記憶部および第２記憶部を含む記憶手段と、リクエストした前記データをパケットで受け取り、該データを、選択した期間の間に、前記第１記憶部または前記第２記憶部で組み上げる手段と、ユーザによるアクセスに対して前記第２記憶部または前記第１記憶部からデータを選択的に供給する手段とを備える装置。
【発明の詳細な説明】
【０００１】
技術分野
本発明は、ほぼすべての通信ネットワークに固有の、非効率および過剰な能力を利用するための方法および装置に関する。より詳細には、本発明の１つの好ましい実施形態では、衛星ネットワークを利用して、著作権で保護されたエンターテイメント番組を直接に家庭に安全に配信する。
【０００２】
背景技術
過去１０年間、多くの新しい衛星ネットワークが提案された。Ｉｒｉｄｉｕｍ（イリジウム）（サービス・マーク）やＧｌｏｂａｌｓｔａｒ（グローバルスター）（サービス・マーク）などの初期のいくつかのシステムが打ち上げられ、現在そのシステムは、ある形態の世界的な遠隔通信サービスを提供している。これらの衛星は低地球軌道で動作し、地上局から、固定端末、モバイル端末またはハンドヘルド端末を使用する顧客へ、デジタル化データのパケットを中継する。Ｄｉｒｅｃｔｖ（ディレクティービー）（サービス・マーク）と呼ばれる別の衛星サービスは静止軌道で動作し、テレビジョン・プログラムおよび古い映画を搬送するスケジュールを決められたアナログ信号の連続的ストリームを、住宅の顧客へ提供する。２０００年４月現在、Ｄｉｒｅｃｔｖは８００万を超える加入者を有していた。
【０００３】
何れのシステムも、封切りの映画をオンデマンドに供給し、著作権侵害に対して保護を行うものである高度にインタラクティブな高分解能のエンターテイメント・デジタル・システムを、提供しない。このようなシステムの開発により、重要な技術的進歩が生じ、かつエンターテイメント産業と遠隔通信産業の両方で長らく意識されてきた必要性および願望が満されるはずである。
【０００４】
発明の開示
本発明は、ネットワークが全伝送能力未満のデータを受けるときに、ネットワークを介してデータを配信する方法および装置を提供する。好ましい実施形態では、１群の低地球軌道の衛星が、ピーク能力未満の期間に、地上局からのデータのパケットを受信する。次いで、これらのパケットは、比較的長期間にわたって受信機へ搬送され、そこで再配列され、次いで、ハード・ドライブのアレイ、メモリ・チップ、または他の記憶装置などの記憶装置上にゆっくりと蓄積される。この「蓄積期間」が完了し、データが全て供給され構築された後、加入者は記憶装置からデータを取り出す。
【０００５】
本発明は、著作権侵害および他の不正コピーを防止する、非常に安全な配信システムを提供する。一実施形態では、地上局から衛星に送信され、次いで加入者に送信されるデータのパケットが、厳重に暗号化される。一実施形態では、このデータは常に安全保護ネットワークに限られるものであり、決してインターネットや他の公共ネットワークへは送り出されない。本発明によって搬送されるデータは、ビデオ番組またはオーディオ番組、ビジネス・データ、あるいは他のタイプの情報とすることができる。好ましい実施形態では、受信機は外部ディスク・ドライブや外部テープ・ドライブや出力ポートを含まないので、加入者の家屋に到達したとき、受信された信号は、解読されることができるがコピーすることはできない。暗号化信号を捕える加入者のアンテナは、受信機または他の端子に結線で接続することができる。加入者が見るビデオ表示装置も受信機に結線で接続することができる。システム全体を遮蔽して、ローカル無線周波数放射を軽減することができる。このシステムはまた、不正操作防止機能を有することもでき、それにより、データの不正コピーを試みたり、受信機を開こうと試みることによって、受信機内に格納されたすべてのデータが即時消去されるようにする。
【０００６】
プロバイダから、住宅の加入者または他の加入者へデータを配信する方法は、既存の通信チャネルを標準的および非標準的に使用してのローカルのｄｉｒｅｃｔ−ｔｏ−ｈｏｍｅ（ディレクト・ツー・ホーム）（ＤＴＨ）配信を含む。ＶＨＦおよびＵＨＦテレビジョン放送局、ＡＭ放送局、およびＦＭ放送局は、加入者へデータを配信するのに使用可能である。データ信号は、直接的に、またはケーブル・システムを介して、ユーザへ送信することができる。加えて、超小型（ＶＳＡＴ）衛星通信チャネルを含む、ローカルのラストマイル（地上局から視聴者までの通信回線）のプロバイダまでの、全国的、地域的、または長距離のデータ配信方法が存在する。
【０００７】
以下の好ましい実施形態の説明を読み、添付の図面を参照することによって、本発明の他の主眼および目的を理解し、本発明をより完全かつ包括的に理解することができよう。
【０００８】
発明を実施するための最良の形態
発明の概要
本発明は、ほぼすべての通信ネットワークに固有の、未使用の過剰な容量（能力）を使用して、高品質デジタル信号を住宅の加入者または他の加入者へ配信する方法および装置を含む。本発明の１つの好ましい実施形態では、低地球軌道上の衛星を利用して、衛星の能力が十分に利用されていない期間に、地上ゲートウェイからの信号を加入者へ短いバーストで中継する。
【０００９】
他の好ましい実施形態では、ＡＭ放送局、ＦＭ放送局、地上ＶＨＦおよびＵＨＦテレビジョン局、あるいはＤｉｒｅｃｔ−ｔｏ−Ｈｏｍｅ衛星システムから直接に送信することによって、加入者にデータを配信することができる。この配信方法を以下で詳細に説明する。
【００１０】
概説
図１Ａに、衛星ＳＡＴを利用する本発明の実施形態をおおまかに示す。地球軌道上の衛星ＳＡＴは、地上局Ｇと通信することができる。地上局Ｇは、公衆交換電話網ＰＯＴＳなどの地上ネットワークに接続される。衛星ＳＡＴのすべての容量が利用されていない期間にあるとき、衛星ＳＡＴは地上局Ｇからデータをアップロードするようリクエストすることができる。すると、地上局Ｇは、データのパケットを衛星ＳＡＴへショート・バーストで送信する。衛星ＳＡＴは、住居Ｒ、オフィス・ビルＯＢ、車および他の車両Ｃ、航空機Ａ、ならびに船舶Ｂを含む、多くの異なるタイプの端末へデータのパケットを配信することができる。
【００１１】
図１Ｂに、コンテンツ・プロバイダから、衛星、そしてポータブル端末またはワイヤレス端末を使用する消費者までのリンクを使用して、データまたはプログラムの安全な移送を実現する本発明の実施形態を示す。本発明のこの実施形態では、ユーザは、ネットワークで利用可能なサーバ・ファームに、ユーザ専用の安全保護データベースまたはファイル・ライブラリを作成することができる。このサーバ・ファームは、過剰な能力を有するネットワークからダウンロードされた情報を格納することができる。次いで、そのコンテンツは、消費者に送信することが可能となる。この実施形態は、ビデオ、音楽、新聞、ビジネスおよび株式のレポート、あるいはスポーツや教育などの番組を配信するのに用いることもできる。
【００１２】
別の実施形態では、本発明を利用して、セルラ・ホン、情報携帯端末（ＰＤＡ）、ポータブル・コンピュータおよびディスプレイ、または他のインテリジェント電気器具を含む様々な端末へ、信号Ｓを送信することができる。
【００１３】
これらの実施形態では、著作権で保護された封切りの映画の電子デジタル・コピーを格納する地上局Ｇから、デジタル化され厳重に暗号化されたパケットが衛星ＳＡＴに送られる。一実施形態では、パケットの転送は非同期転送方法を使用して行われ、次いで、パケットがルーティングされ、パケットの最終的な宛先で順序正しく再配列される。
【００１４】
図２は、顧客の敷地（位置）に設けられた、屋上アンテナＡＮＴ、セットトップ・ボックスＳＴＢ、およびワイド・スクリーンのフラット・パネル・ディスプレイＷＳＤを備えるハードワイヤードの装置を含む装置の略図である。図２Ａは、顧客がプログラム素材をリクエストするステップを示す流れ図であり、プログラム素材は、処理され、ソースから、顧客が閲覧するための顧客のセットトップ・ボックスＳＴＢへ、選択されたネットワークを介して送られる。図２に示すように、暗号化パケットは、加入者の敷地Ｒにある能動ビーム・ステアリング・アンテナＡＮＴによって受信され、コンピュータ・ハード・ドライブの大型デュアル・パーティション型アレイを含むセットトップ・ボックスＳＴＢ内に格納される。セットトップ・ボックスＳＴＢは、ワイド・スクリーン・ディスプレイＷＳＤに結線で結合される。
【００１５】
図３は、顧客宛の番組（プログラム）素材を、ネットワークによって搬送される他の情報中に散在させる方法を示す、通信ネットワークの過剰な通信能力を利用するための方法を示す略図である。
【００１６】
図４は衛星、地上、およびワイヤレスの配信システムを介してデータを顧客に転送する方法を示す略図である。
図５は、配信データ・システムと顧客構成要素システムとの両方での、データ暗号化システムを更に詳細に示す略図である。パケットは、非常に小さい増分で長期間にわたってセットトップ・ボックスＳＴＢで受信することができる。これらの着信パケットは、セットトップ・ボックスＳＴＢの２つのパーティション４２、４４の一方のパーティション４２に格納される。第２パーティション４４は、オンデマンドの閲覧無制限の番組を供給するのに使用され、第１パーティション４２は増分式に充填される。本発明の一実施形態では、番組が、１週間または１か月などの所定の期間にわたって第１パーティション４２に向けて送られ、第２パーティション４４は見るために使用される。１週間の期間の終了時に、パーティション４２、４４の機能が交換される。次いで、第２パーティション４４上の「古い」番組が次週の番組で置換され、現在の番組は、第１パーティション４２を使用して見られる。データを増分式に大型の記憶装置へ移送するこの「Ｒａｉｎｂａｒｒｅｌ（レインバレル）（サービス・マーク）」の方法により、衛星ネットワークの未使用の能力を利用することが可能となる。
【００１７】
見るための装置と安全に一体化された記憶装置へ配信するこの方法の新規な使用法により、著作権の保護されたデータの安全な配信および視聴が実現される。本発明の一実施形態では、通常のネットワーク・トラフィックが日中のピーク使用量よりもずっと下のレベルへと減少する夜間に行われるバースト中に、衛星ＳＡＴからセットトップ・ボックスＳＴＢへの大量の番組のダウンロードが行われる。図３に、番組素材をネットワーク・トラフィック中のギャップの中に散在させる方法を示す。
【００１８】
ワイヤレス・ネットワークを利用する実施形態では、衛星または他のワイヤレス・ソースから放送される信号を捕えるために、屋上受信機が加入者の敷地に設置される。本発明の一実施形態では、受信機はフェーズド・アレイ・アンテナに結合される。フェーズド・アレイ・アンテナは、能動ビーム・ステアリングを使用して、衛星が上空を移動すると衛星を追跡する。図６に、本発明で使用する、衛星ＳＡＴソースまたは航空機Ａソースからの配信データ信号Ｓを受信するための、顧客の受信位置Ｒにある追跡アンテナ・システム７０の絵画図を示す。
【００１９】
本発明の別の実施形態は、受動的な指向性または全方向性のアンテナを組み込む。図７は、本発明で使用する、地上のテレビジョン局、ＡＭ放送局、またはＦＭ放送局などの固定のワイヤレス配信ソースＧからデータ信号Ｓを受信するための、顧客の受信位置Ｒにある固定アンテナ７２の絵画図である。図には高利得ディッシュ・アンテナ７２が示されているが、ワイヤレス伝送ソースに応じて、ワイヤレス信号を受信することができる屋外または屋内のどのようなアンテナも使用できることを読者は理解されよう。
【００２０】
既存の通信チャネルでのデータ配信方法
プロバイダから、住宅の加入者および他の加入者の暗号化された記憶装置５０へデータを配信する方法は、既存の通信チャネルを標準的および非標準的に使用したローカルｄｉｒｅｃｔ−ｔｏ−ｈｏｍｅ（ＤＴＨ）配信を含む。加えて、超小型伝送（ＶＳＡＴ）衛星通信チャネルを含む、ローカルのラストマイルのソースまたはプロバイダへの、全国的、地域的、またはロングホールのデータ配信方法が存在する。
【００２１】
ローカルの標準データ配信方法
図１、２、４、５、６、および７を参照すると、既存の通信チャネルおよびネットワークを介した標準的放送伝送を使用する幾つかのｄｉｒｅｃｔ−ｔｏ−ｈｏｍｅ（ＤＴＨ）データ配信方法が存在する。それらのうちの幾つかのものは、超短波（ＶＨＦ）および極超短波（ＵＨＦ）テレビジョン放送チャネル、振幅変調（ＡＭ）放送局チャネル、周波数変調（ＦＭ）放送局チャネル、衛星テレビジョン受信専用（ＴＶＲＯ）、衛星直接放送システム（ＤＢＳ、ＤＳＳ、またはＤＴＨ）およびセルラ・デジタル・パケット・データ（ＣＤＰＤ）である。データ信号は、加入者が自身のワイヤレス・アンテナで直接受信することができ、またケーブル・システムを介して受信することができる。
【００２２】
ＶＨＦおよびＵＨＦテレビジョン放送チャネル：　米国でのテレビジョン（ＴＶ）放送用周波数帯は、５４〜８８ＭＨｚ、１７４〜２１６ＭＨｚ、および４７０〜８０６ＭＨｚの周波数で運用されている。これらの周波数帯は、それぞれが帯域幅６ＭＨｚの６８個のチャネルに分割される。ｎをチャネル数として、ＭＨｚ単位のチャネル中心周波数は以下の式で与えられる。
【００２３】
ｎ＝２〜６に対して　ｆ０＝５７＋（ｎ−２）×６ＭＨｚ　式（１）
ｎ＝７〜１３に対して　ｆ０＝１７７＋（ｎ−７）×６ＭＨｚ　式（２）
ｎ＝１４〜６９に対して　ｆ０＝４７３＋（ｎ−１４）×６ＭＨｚ　式（３）。
【００２４】
米国では、連邦規則コード４７　ＣＦＲ　７３．６４６により、放送ＴＶ局は、放送に基づくバルク・データ配信を含む、視覚信号内での遠隔通信サービスの提供が許可されている。ＴＶ局のエンコーダは、米国標準（ＮＴＳＣ）の５２５本のラインのシステムに、あるいはアジアで普及している、欧州のテレビジョン標準システム（ＰＡＬ）またはフランスのテレビジョン標準システム（ＳＥＣＡＭ）などの６２５本のシステムに、デジタル・データ１０を挿入する。データ１０はテレビジョン画像を置換する。デコーダ・モジュールＳＴＢは、視聴者のディスプレイＷＳＤでの視聴のためにデータ１０を除去する。
【００２５】
本発明では、加入者にデータを送信するために、「Ｔｈｅ　Ｔｒａｎｓｍｉｓｓｉｏｎ　ｏｆ　Ｉｎｔｅｒｎｅｔ　Ｐｒｏｔｏｃｏｌ（ＩＰ）Ｏｖｅｒ　ｔｈｅ　Ｖｅｒｔｉｃａｌ　Ｂｌａｎｋｉｎｇ　Ｉｎｔｅｒｖａｌ　ｏｆ　ａ　Ｔｅｌｅｖｉｓｉｏｎ　Ｓｉｇｎａｌ（テレビジョン信号の垂直帰線消去期間を通じてのインターネット・プロトコルの送信）」と題するインターネット協会の規格ＲＦＣ２７２８を使用する。各ビデオ線は、北米基本テレテックス規格（ＮＡＢＴＳ）データ・パケットで符号化される。この順次的な順番になったパケット中に含まれるデータはシリアル・データ・ストリームを形成し、そのストリーム上で、フレーミング・プロトコルが、圧縮ヘッダを有し且つデータを含むＩＰパケットの位置を示す。ＮＡＢＴＳパケットは、単一ビデオ線に符号化された３６バイト構造であり、ＮＴＳＣシステムの場合には生ビット・レート９．０７２メガビット／秒（Ｍｂｐｓ）が得られ、ＰＡＬシステムまたはＳＥＣＡＭシステムの場合には１０．８Ｍｂｐｓが得られる。２バイトの「クロック同期」信号と、１バイトの「バイト同期」信号とが、ＮＡＢＴＳパケットを含む各線の最初に存在する。これらの信号は、復号化サンプリング・レートおよびバイト・タイミングを同期するのに使用される。３バイトのパケット・アドレス、１バイトの連続性フィールド、１バイトのフラグ・フィールド、および２８バイトのデータ・ペイロードによりパケット構造が完成する。
【００２６】
フレーミング用のシリアル・ライン・インターネット・プロトコル（ＳＬＩＰ）を使用してＮＡＢＴＳパケットをカプセル化し、下位プロトコル層からのデータを抽象化する。ＵＤＰ／ＩＰヘッダ圧縮を使用して、帯域幅の効率を最大化する。
【００２７】
垂直帰線消去期間（ＶＢＩ）データ移送の一方向性の性質のため、テレビジョン受信機でのデータの完全性を保証するのに前進型誤信号訂正（ＦＥＣ）が必要となる。１６パケットごとに２パケットが使用されるのと同様に、各パケット中の２８データ・バイトのうちの２バイトがＦＥＣ用に使用される。得られるコード・レートは１３／１６である。データ伝送レートは、ＮＴＳＣシステムの場合には１日あたり７５ギガバイトであり、ＰＡＬシステムまたはＳＥＣＡＭシステムの場合には１日あたり９２ギガバイトである。７つのＶＨＦテレビジョン局と５つのＵＨＦテレビジョン局を有するカリフォルニア州ロサンゼルスなどの市場では、データ伝送能力は、更に１２倍に増加する可能性がある。ロサンゼルスのテレビジョン局のすべてが１日あたり２４時間使用した場合、実効データ伝送レートは、１日あたりほぼ１テラバイトとなるであろう。
【００２８】
ＡＭ放送局チャネル
米国での振幅変調（ＡＭ）無線放送用周波数帯の範囲は、５３５〜１７０５ｋＨｚである。この周波数帯は、それぞれ帯域幅１０ｋＨｚの１１７個のチャネルに分割される。ｋＨｚ単位の中心周波数は以下の式によって与えられる。
【００２９】
ｎ＝０〜１１７に対して　ｆ０＝５４０＋ｎ×１０ｋＨｚ　式（４）。
ＡＭ放送局は５０キロワットで送信する。米国ではＣＦＲ７３．１２７により、ＡＭ放送局が「放送目的および非放送目的で、通常の消費者の受信機で可聴ではない信号を送信する」ことが許可されている。
【００３０】
ＡＭ放送局を使用するデータ配信の一つの実施は、２５６横軸振幅変調（ＱＡＭ）波形により、形状指数１．２５、毎秒８キロビット（ｋｂｐｓ）で変調された、チャネル中心周波数での副搬送波である。これにより、生データの伝送レート６４ｋｂｐｓが得られる。記号は、レート７／８でトレリス・コード化されてＦＥＣが得られ、結果としてデータレート５６ｋｂｐｓが得られる。データは５１２バイト（４０９６ビット）パケットに区分される。各パケットの最初の１６バイトは、同期フィールド、アドレス・フィールド、およびフラグ・フィールドのために使用される。残りの４９６バイトはデータを含む。結果として得られるデータ伝送レートは、各ＡＭ無線局について６４．２５ｋｂｐｓ、すなわち１日あたり５８５．９Ｍバイトである。
【００３１】
ＦＭ放送局チャネル
米国での周波数変調（ＦＭ）放送用周波数帯の範囲は、８８〜１０８ＭＨｚである。この周波数帯は、それぞれ帯域幅２００ｋＨｚの１００個のチャネルに分割される。チャネル中心周波数は以下の式によって与えられる。
【００３２】
ｎ＝０〜９９に対して　ｆ０＝８８．１＋ｎ×０．２ＭＨｚ　式（５）
米国では、４７ＣＦＲ７３．２９３により、ＦＭ放送局が「副搬送波通信サービスを送信する」ことが許可されている。ＦＭ無線放送局を使用するデータ配信の一つの実施は、オフセット整形の横軸位相偏移変調（ＱＰＳＫ）波形により形状指数１．２５、８０ｋｂｐｓで変調された、チャネル中心周波数での副搬送波である。これにより、生データの伝送レート１６０ｋｂｐｓが得られる。配信されるデータは５１２バイト（４０９６ビット）のパケットに区分される。各パケットの最初の１２バイトは、同期フィールド、アドレス・フィールド、およびフラグ・フィールドのために使用される。残りの５００バイトは、ペイロード・データとレート４／５のターボ・コード、ＦＥＣとを含む。結果的に得られるデータ伝送レートは、各ＦＭ放送局について１２５ｋｂｐｓ、すなわち１日あたり１．３６ギガバイト（ＧＢｙｔｅ）である。
【００３３】
衛星、ＴＶ、ＴＶＲＯ
米国では、衛星ＴＶは、Ｃバンド（３．７〜４．２ＧＨｚ）およびＫｕバンド（１１．７〜１２．２ＧＨｚ）の固定衛星サービス（ＦＳＳ）割当で運用されている。これらはいわゆる「ビッグ・ディッシュ」システムである。衛星テレビジョン受信専用（ＴＶＲＯ）伝送を使用するデータ配信の一つの実施では、ＶＨＦおよびＵＨＦのテレビジョン放送局について上記で述べたのと同じ方式を使用する。
【００３４】
衛星ＤＢＳ、ＤＳＳ、またはＤＴＨ
米国での直接放送衛星サービス帯の範囲は、１２．２〜１２．７ＧＨｚである。ＤＩＲＥＣＴＶＴＭ（ディレクＴＶ）（Ｒ）システムは、各トランスポンダに対して選択されるコード・レートに応じて、最大３０ＭｂｐｓのＦＥＣ保護データを供給する。各トランスポンダは典型的には、コンテンツに応じて、３〜８のビデオ・チャネルを提供する。本発明でデータを送信するのに使用する１つのトランスポンダ全体は、１日あたり３２４ギガバイトのデータを供給する。
【００３５】
セルラＣＤＰＤ
セルラ・デジタル・パケット・データ（ＣＤＰＤ）・ネットワークは、アナログＡＭＰＳチャネルのアイドル時間を利用することにより、既存の北米セルラ・ネットワークを介してデジタル・データを供給して、パケット・データを１９．２ｋｂｐｓで送信する。順方向の８７０〜８９０ＭＨｚの間と逆方向の８２５〜３４５ＭＨｚの間に６６６個のＡＭＰＳチャネルが存在する。各チャネルは３０ｋＨｚの帯域幅を有する。ＣＤＰＤに使用することができない４２個の無線周波数（ＲＦ）制御チャネルが存在する。データは、帯域幅時間積（ＢＴ）０．５で変調されるガウス最小偏位変調（ＧＭＳＫ）である。ＣＤＰＤは双方向通信をサポートし、それによって必要なＦＥＣが最小となる。パケット・オーバヘッドおよびＦＥＣ用に１．２ｋｂｐｓを可能とすると、データ伝送用には、使用するセルラ・チャネルあたり１８ｋｂｐｓ、すなわち１日あたり１９４Ｍバイトのデータが残る。
【００３６】
ローカルの非標準のデータ配信方法
再び図１、２、４、５、および７を参照すると、既存の通信チャネルおよびネットワークの非標準的使用法に基づく、少なくとも４つの可能なローカルのｄｉｒｅｃｔ−ｔｏ−ｈｏｍｅ（ＤＴＨ）データ配信方法が存在する。その４つとは、テレビジョン垂直帰線消去期間（ＶＢＩ）、テレビジョン可聴帯副搬送波、ＡＭ副搬送波、およびＦＭ副搬送波である。これらの信号は、加入者が自身の無線アンテナで直接受信することができ、またケーブル・システムを介して受信することができる。
【００３７】
テレビジョン垂直帰線消去期間（ＶＢＩ）
ＴＶ帯域の割振りは上記で論じた。米国では、４７ＣＦＲ７３．６４６により、放送ＴＶ局が、放送に基づき、バルク・データ配信を含む、ＶＢＩ上でおよび視覚信号においての遠隔通信サービスを提供することが許可されている。ＴＶ局のＶＢＩエンコーダは、ＶＢＩに対応する１６ビデオ線にデジタル・データを挿入する。これらは、ＮＴＳＣなどの５２５線システムにおける線１０〜２５、あるいはＰＡＬまたはＳＥＣＡＭなどの６２５線システムにおける線７〜２２である。この挿入はＴＶ画像に影響を及ぼさない。デコーダ・モジュールＳＴＢは、視聴者のディスプレイＷＳＤでデータを除去する。
【００３８】
ＴＶによるデータ配信のための標準的方法の場合と同じく、データを送信するためにインターネット協会の規格ＲＦＣ２７２８を使用する。ＶＢＩ線は、北米基本テレテックス規格（ＮＡＢＴＳ）パケットで符号化される。この順次的な順番になったパケット中に含まれるデータは、シリアル・データ・ストリームを形成し、このストリーム上で、フレーミング・プロトコルが、圧縮ヘッダを用いて、データを含むＩＰパケットの位置を示す。
【００３９】
ＮＡＢＴＳパケット構造および同期信号は、既に上記で述べた。同様に、ＮＡＢＴＳパケットをカプセル化するのに使用するＳＬＩＰフレーミング・プロトコル、帯域幅効率を最大化するのに使用するＵＤＰ／ＩＰヘッダ圧縮も上記で論じた。既存の通信チャネルの標準的使用法に基づくデータ配信方法と同様に、受信機でのデータの完全性を保証するのに前進型誤信号訂正（ＦＥＣ）が必要となる。１６パケットごとに２パケットが使用されるのと同様に、各パケット中の２８データ・バイトのうちの２バイトがＦＥＣ用に使用される。結果としてコード・レート１３／１６、データ伝送レート１３．６５ｋｂｐｓ／線、および全１６線に対して２１８．４ｋｂｐｓが得られた場合、１つのＴＶ局から１日あたり合計２．３６ギガバイトのデータを送信することができる。しかし、１６本のすべてのＶＢＩ線が利用可能ではない可能性がある。例えば、米国では線２１がクローズド・キャプショニング用（耳の不自由な人のための字幕用）に使用されている。しかし、ＴＶ局がＴＶ画像を送信していないとき、線のすべてをデータ用に使用することができる。
【００４０】
ＴＶ可聴帯副搬送波
別の実施形態では、データが、ＴＶ信号の副搬送波および複合ベースバンド０〜１２０ｋＨｚの他の信号で送信される。
【００４１】
ＡＭ副搬送波
米国では、４７ＣＦＲ７３．１２７により、ＡＭ放送局が副搬送波を送信することが許可されている。
【００４２】
ＦＭ副搬送波
４７ＣＦＲ７３．２９３により、ＦＭ放送局が「米国で副搬送波通信サービスを送信すること」が許可されている。放送ＦＭ局では、１９５０年代以来、個人および会社の加入者へ配信されるムーザク（商標）音楽などのために副搬送波を使用している。データ放送はより新しいものであるが、ディファレンシャル・グローバル・ポジショニング・システム（ＧＰＳ）修正、交通データ、株式相場などのために、既に使用されている。
【００４３】
ＦＭ副搬送波によるデータ配信の一つの実施は、無線放送データ・システム（ＲＢＤＳ）である。５７ｋＨｚ副搬送波が使用され、これは、１．１８７５ｋｂｐｓで二相整形（ｓｈａｐｅｄ ｂｉｐｈａｓｅ）の微分コード化した符号化デジタル・データで振幅変調されたものである。ベースバンド・データは、１０４ビットのグループにパケット化される。各グループは、それぞれ２６ビットの４つのブロックに分割され、各ブロックは更に、１８個のデータ・ビットと１０個のチェック・ビットとに分割される。これにより、０．６１５コード・レート、および７３０．８ｂｐｓ情報レートが得られる。このタイプのデータ伝送は１日あたり７．９Ｍバイトである。
【００４４】
別の実施はデータ無線チャネル（ＤＡＲＣ）である。１６ｋｂｐｓ生ビット・レートで変調された７６ｋＨｚのレベル最小偏位変調（ＬＭＳＫ）副搬送波が、１０％の変調（−２０ｄＢ）で複合ＦＭ信号に注入される。１６ｋｂｐｓ生ビット・レートは、１日あたり１７３Ｍバイトと等しい。フレームおよびアドレス・オーバヘッドを２０％追加し、レート前進型誤信号訂正を行って、１０ｋｂｐｓ、すなわち１日あたり１０８Ｍバイトのデータ・レートが達成される。より効率的な変調方式は、ＦＭ局あたり５６ｋｂｐｓ生ビット・レートを実現することができ、これは３５ｋｂｐｓデータ伝送レート、すなわち１日あたり３７８Ｍバイトのデータ配信と等しい。
【００４５】
全国的または地域的なロングホール・データ配信方法（ＶＳＡＴ）
図５に、全国的または地域的な宛先へのデータの衛星配信を示す。ローカルの「ラストマイル」データ・ソースへの長距離データ配信は図７に示す。このようなデータ配信は、既存の低地球軌道衛星ＶＳＡＴ通信チャネルを貸借することによって実施される。例えば、私物化可能な米国をカバーする一つのトランスポンダの容量の１０ＭＨｚ副搬送波スライスは、高価ではなく、容易に利用可能である。米国では、衛星ＶＳＡＴは、Ｃバンド（３．７〜４．２ＧＨｚ）およびＫｕバンド（１１．７〜１２．２ＧＨｚ）の固定衛星サービス（ＦＳＳ）の割当で運用されている。
【００４６】
トランスポンダについてのデータ伝送レートは、上記の直接放送衛星サービスを論じた節で述べた。
図８に、顧客の位置での基本的装置であるアンテナＡＮＴ、セットトップ・ボックスＳＴＢ、およびワイド・スクリーン・ディスプレイＷＳＤの略図を示す。これは、一実施形態での物理的セキュリティを示す。図９はセットトップ・ボックスＳＴＢのブロック図を示すものであり、特に、不正操作防止外部ボックスと、安全保護入出力接続８０、８２を部分的に示すものである。図１０に、物理的セキュリティを有さず、従って、セキュリティが伝送および記憶部のエンド・ツー・エンドの暗号化に依拠する、顧客の位置にある基本的装置を示す。アンテナＡＮＴは、セットトップ・ボックスＳＴＢに結線で接続される。セットトップ・ボックスＳＴＢは、受信機、解読装置、および記憶システムとして機能する。セットトップ・ボックスＳＴＢは、データ記憶用の２つのパーティション４２、４４に構成されたコンピュータ・ハード・ドライブのアレイを含む。本発明の先の実施形態では、ハード・ドライブ・アレイは、約１００〜２００Ｇバイトの容量を有する。セットトップ・ボックスＳＴＢは、映画のアスペクト比に構成された大型高解像度平面スクリーンＷＳＤに結線で接続される。平面スクリーンＷＳＤは、ホーム・シアター品質のスピーカを組み込むことができる。以下の表１に、セットトップ・ボックスＳＴＢへ送られたデータの物理的セキュリティの属性および動作を示す。
【００４７】
【表１】
2004501561.tif 000003
【００４８】
セットトップ・ボックスＳＴＢのこの実施形態は、外部ポート、ジャック、フロッピィ・ディスク、テープ・ドライブ、またはＣＤドライブを有さない。他の実施形態は、ケーブルテレビまたはオフ・ジ・エア（ｏｆｆ−ｔｈｅ−ａｉｒ）放送信号用のコネクタを含む。アンテナ、セットトップ・ボックス、ワイド・スクリーン・ディスプレイ、およびスピーカの間のケーブル８２はすべて結線で接続され、厳重に遮蔽され、かつプログラムのコピーまたは著作権侵害を防止するように不正操作防止される。受信機は「ブービー・トラップ（罠）」を仕掛けておき、ネジを取り外したり穴を開けることによってボックスを開いて不正コピーを行うような試みによって、ハード・ドライブから全データが即時に消去され、セットトップ・ボックスが無力にされるようにし、また、場合によっては、インターネット接続を介してプログラム・プロバイダに不正操作を報告するようにすることができる。以下の表２に幾つかのシステム・セキュリティ・オプションを列挙する。
【００４９】
【表２】
2004501561.tif 000004
【００５０】
図１２は、従来のデジタル・データ、ビデオ、オーディオなどの提供されるサービスについての、階層化されたユーザ固有の暗号化／解読の機能を、各顧客システムがどのようにして含むかを示すブロック図である。図１３に、本発明で利用可能な、複数レベルの暗号化、解読、およびオプションのセキュリティをブロック図形式で示す。
【００５１】
図１１は、特定の顧客のリクエストに対して、リクエストされたデータを取り出して送信することによって本発明がどのように反応するかを略図で示す。Ｄｉｒｅｃｔｖ（サービス・マーク）、Ｈｏｍｅ　Ｂｏｘ　Ｏｆｆｉｃｅ（ホーム・ボックス・オフィス）（サービス・マーク）、Ｓｈｏｗｔｉｍｅ（ショータイム）（サービス・マーク）、Ｔｈｅ　Ｍｏｖｉｅ　Ｃｈａｎｎｅｌ（ザ・ムービー・チャンネル）（サービス・マーク）、Ｃｉｎｅｍａｘ（シネマックス）（サービス・マーク）、またはＳｔａｒｚ（スターズ）（サービス・マーク）などの現在のエンターテイメント・サービスとは異なり、本発明の一実施形態では、月毎の料金で、加入者の都合の良いときに非限定の回数だけ視聴することができる即時のオンデマンド番組が提供される。本発明の好ましい実施形態では、番組パッケージには、以前には著作権保護や海賊版の問題のために既成の映画産業が避けてきた、封切りの映画のリリースが含まれる。月毎の番組にはまた、インタラクティブのゲーム、スポーツ、ニュース、教育的コンテンツ、古い映画、ならびに現在と過去のテレビジョンの選択物も含めることができる。
【００５２】
現在の高付加価値のエンターテイメント番組を提供するために本発明の好ましい実施形態を具体的に構成したが、本発明は、衛星ネットワークの稼働の非ピーク時間中または十分に利用されていない期間に、どんな種類のデータを移送するのにも利用することができる。好ましい実施形態を、低地球軌道衛星を使用するものとして特定的に説明したが、ＬＥＯ、ＭＥＯ、ＧＥＯ、または他の衛星、サブオービタル・プラットフォーム、あるいは他の任意の伝達手段やネットワークの任意の組合せを利用して、本発明を実施することができる。本発明は、衛星システムの過剰な能力を使用することに限定されない。長期間にわたって、少ない増分でゆっくりとデータを蓄積する「Ｒａｉｎｂａｒｒｅｌ（サービス・マーク）」機能の新規な組込みにより、従来の銅の地上通信線、ファイバ、放送またはマイクロ波塔、セルラ、ＰＣＳ、または任意の他のネットワークが、本発明との組合せから利益を得られる。本発明は、インターネットおよびＴＣＰ／ＩＰまたはＵＤＰ／ＩＰを使用して、公衆交換電話網またはプライベート・データ・ネットワークを介して実施することができる。
【００５３】
図１４は、本発明で実施される機能を、システム・サーバ機能の便利なカタログとしてブロック形式で示すリストである。
図１５は、顧客の位置でデータを暗号化、解読、および表示するための、顧客特定的な特定用途向け集積回路（ＡＳＩＣ）のブロック図であり、デジタルの解読されたデータがＡＳＩＣの外部から利用可能ではなく、それによってデジタル・データのコピーが防止されることを示す。
【００５４】
図１６は、顧客の位置でサービス・リクエストおよびサービス応答を扱うための特定用途向け集積回路（ＡＳＩＣ）のブロック図である。
図１７は、本発明の「Ｒａｉｎｂａｒｒｅｌ（サービス・マーク）」データ配信方式を示す略図である。この方法では、リクエストされたデータがパケットで顧客に配信され、このパケットは、顧客の位置で、ある期間にわたって再組み上げられ記憶部中へ「したたる」。図１８は、顧客がシステム・サーバからのデータをリクエストするときに行われるステップのリストである。図１９は、システム・サーバに格納されたデジタル製品が、選択されたネットワークを介して顧客の位置へ配信されるステップを示す流れ図である。図２０は、ユーザがシステム・メニューをリクエストするステップを示す流れ図である。図２１は、顧客がシステム・メニューからシステム・データをリクエストするときに行われるステップのリストである。
【００５５】
図２２は、顧客のセットトップ・ボックス内の回路板の機能、入力および出力を示すブロック図である。
図２３に、セットトップ・ボックスの外部不正操作防止コンテナの部分断面図を示し、留め具が（不正操作によって）取り外されたときに、ボックス内に格納された全デジタル・データを消去する典型的な留め具スイッチを示す図である。
【００５６】
発明の代替の実施形態
１つの実施形態は、１つの大陸上の顧客にサービスを行うように設計されるが、別の実施形態は、衛星または他の伝送手段のネットワークを含むことができ、遍在的なサービス、グローバル（包括的）なサービス、またはスケーラブル（拡張縮小可能）なサービスを提供することができる。１群の衛星が利用される場合、その１群の衛星は、衛星間リンクを介して通信することができる。伝送手段はネットワークを覆うことができる。
【００５７】
本発明の一実施形態では、許可されたユーザには、データの安全保護されたパケットを格納する安全保護記憶手段が提供される。この記憶手段は、低データ・レートのデータ・アキュムレータと、高データ・レートのデータ・アキュムレータとに区分することができる。これらのデータのパケットは、高精細度ビデオ信号、オーディオ番組、またはデジタル化テキスト・ストリングを含むことができる。
【００５８】
別の実施形態では、許可されたユーザにデジタル化した書籍やテキスト・ストリングを再生および表示するページ・バインダを含むプリンタを提供することができる。
【００５９】
まとめ
本発明を１つまたは複数の好ましい実施形態を参照して詳細に説明したが、本発明に関連する技術分野の技術者は、特許請求の範囲の精神および範囲から逸脱することなく、様々な変更および改善を行うことができることを理解されよう。上記で開示した、非常に安全なデータ配信システムを提供する様々な代替の方法は、本発明の好ましい実施形態について読者に教示するためのものであり、本発明の限界または特許請求の範囲を制限するものではない。以下の参照符号のリストは、明細書および図面中の本発明の要素を識別するのに好都合な手段を読者に提供するためのものである。このリストは、特許請求の範囲を示すものでも狭めるものでもない。
【００６０】
産業上の利用可能性
本発明は、公共またはプライベートのネットワークが全伝送能力未満で使用されているときに、そのネットワークを介してデータを配信するシステムを提供するように設計される。本発明は、広範囲の通信用途に適用可能である。
【図面の簡単な説明】
【図１】
図１Ａは、データを地上ゲートウェイから低地球軌道衛星に転送し、次いで住宅の加入者および他の加入者に転送することを示す図である。
図１Ｂは、個人用記憶部からモバイル端末またはワイヤレス端末にダウンロードすることを可能にする本発明の実施形態を示す図である。
【図２】
図２は、屋上アンテナ、セットトップ・ボックス、およびワイド・スクリーンのフラット・パネル・ディスプレイを備えるハードワイヤードの装置を含む、顧客に提供される装置の略図である。
図２Ａは、処理され、ソースから顧客が閲覧するために顧客のセットトップ・ボックスへ、選択されたネットワークを介して送られるプログラム素材を顧客がリクエストするステップを示す流れ図である。
【図３】
図３は、ユーザ宛の番組素材を、ネットワークによって搬送される他の情報中に散在させる方法を示す、通信ネットワークの過剰な通信能力を利用するための方法を示す略図である。
【図４】
図４は、衛星、地上、およびワイヤレスの配信システムを介してデータをユーザに転送する方法を示す略図である。
【図５】
図５は、配信データ・システムと顧客側システムとの両方での、データ暗号化システムの更なる詳細を示す略図である。
【図６】
図６は、本発明で使用する、衛星ソースまたは航空機ソースからの配信データ信号を受信するための、顧客の受信位置にある追跡アンテナ・システムの絵画図である。
【図７】
図７は、本発明で使用する、固定のワイヤレス配信ソースからデータ信号を受信するための、顧客の受信位置にある固定アンテナの絵画図である。
【図８】
図８は、顧客の位置での基本的装置、セットトップ・ボックスおよびワイド・スクリーン・ディスプレイの略図を示し、かつ用いられる物理的セキュリティを示す略図である。
【図９】
図９は、不正操作防止外部ボックスと、安全保護入出力接続を部分的に示すセットトップ・ボックスのブロック図である。
【図１０】
図１０は、物理的セキュリティを有さず、従って、暗号化した伝送および暗号化記憶部のエンド・ツー・エンドに依拠する、顧客の位置での基本的装置である。
【図１１】
図１１は、本発明が、特定の顧客のリクエストに対して、リクエストされたデータを取り出して送信することによって反応する方法の略図である。
【図１２】
図１２は、従来のデジタル・データ、ビデオ、オーディオなどの提供されるサービスについての、階層化され、かつユーザ固有の暗号化／解読機能を、各顧客システムがどのようにして含むかを示すブロック図である。
【図１３】
図１３は、本発明で利用可能な、複数レベルの暗号化、解読、およびオプションの選択のセキュリティを示すブロック図である。
【図１４】
図１４は、本発明で実現される機能を、システム・サーバ機能のカタログとして都合よくブロック形式で示すリストである。
【図１５】
図１５は、顧客の位置でデータを暗号化、解読、および表示を行うための、顧客特定的な特定用途向け集積回路（ＡＳＩＣ）のブロック図であり、デジタル解読データがＡＳＩＣの外部から利用できず、それによってデジタル・データのコピーが防止されることを示す図である。
【図１６】
図１６は、顧客の位置でサービス・リクエストおよびサービス応答を扱うための特定用途向け集積回路（ＡＳＩＣ）のブロック図である。
【図１７】
図１７は、本発明の「Ｒａｉｎｂａｒｒｅｌ（レインバレル）（サービス・マーク）」データ配信方式を示す略図であり、この方法では、リクエストされたデータがパケットで顧客に配信され、このパケットは、顧客の位置で、ある期間にわたって再組立され、記憶部中に「したたる」ことを示す図である。
【図１８】
図１８は、顧客がシステム・サーバからのデータをリクエストするときに行われるステップのリストである。
【図１９】
図１９は、システム・サーバで格納されたデジタル製品が、選択されたネットワークを介して顧客の位置まで配信されるステップを示す流れ図である。
【図２０】
図２０は、ユーザがシステム・メニューをリクエストするステップを示す流れ図である。
【図２１】
図２１は、顧客がシステム・メニューからシステム・データをリクエストするときに行われるステップのリストである。
【図２２】
図２２は、顧客のセットトップ・ボックス内の回路板の機能、入力および出力を示すブロック図である。
【図２３】
図２３は、セットトップ・ボックスの外部不正操作防止コンテナの部分断面図を示し、留め具が（不正操作によって）取り外されたときに、ボックス内に格納された全デジタル・データを消去するようにした典型的な留め具スイッチを示す図である。
【符号の説明】
Ａ　航空機
ＡＮＴ　アンテナ
Ｂ　船舶
Ｃ　車
ＤＳＬ　ネットワークへの直接加入者リンク
Ｇ　地上局
ＩＣ　インタラクティブ・コントローラ
ＯＢ　オフィス・ビル
ＰＯＴＳ　公衆電話サービス
Ｒ　住居
Ｓ　ワイヤレス信号
ＳＡＴ　衛星
ＳＴＢ　セットトップ・ボックス
ｔ　衛星軌道位置に関連する時間
ＷＳＤ　ワイド・スクリーン・ディスプレイ
１０　完全に使用されたネットワーク・データ・チャネル中のデータ・ストリーム
１２　部分的に使用されたネットワーク・データ・チャネル中のデータ・ストリーム
１４　本発明によって提供され、部分的に使用されるネットワーク・データ・チャネルに挿入されるプログラム素材
２０　衛星システム、地上システム、およびワイヤレス・システムによる顧客へのデータ転送
２２　衛星
２４　システム・サーバへの衛星配信システム
２６　システム・サーバ
２８　インタラクティブまたは起点のデータ・システム
３０　データ暗号化／解読機能
３２　ワイヤレス配信システム（ＷＤＳ）
３４　顧客への衛星配信システム
３６　地上配信システム（ＴＤＳ）
３８　顧客の位置にある装置
４０　顧客ワイド・スクリーン・ディスプレイ
４２　低レート安全保護データ・アキュムレータ
４４　記憶部からディスプレイ画面へのリアル・タイム再生
５０　顧客の暗号化されたデータ記憶部
５２　顧客のデータ暗号化／解読機能
５４　顧客の入出力機能および表示機能
５６　システム・サーバのデータ・暗号化／解読機能
５８　システム・サーバのデータ制御
６０　システム・サーバのデータ・リポジトリ
７０　顧客のステアリング可能なアンテナまたは「追跡」アンテナ
７２　顧客の固定アンテナ
７４　システム地上局全方向性アンテナ
８０　安全保護コネクタ
８２　顧客の装置構成要素間の安全保護ケーブル
【図１】
2004501561.tif 000005
2004501561.tif 000006
【図２】
2004501561.tif 000007
2004501561.tif 000008
【図３】
2004501561.tif 000009
【図４】
2004501561.tif 000010
【図５】
2004501561.tif 000011
【図６】
2004501561.tif 000012
【図７】
2004501561.tif 000013
【図８】
2004501561.tif 000014
【図９】
2004501561.tif 000015
【図１０】
2004501561.tif 000016
【図１１】
2004501561.tif 000017
【図１２】
2004501561.tif 000018
【図１３】
2004501561.tif 000019
【図１４】
2004501561.tif 000020
【図１５】
2004501561.tif 000021
【図１６】
2004501561.tif 000022
【図１７】
2004501561.tif 000023
【図１８】
2004501561.tif 000024
【図１９】
2004501561.tif 000025
【図２０】
2004501561.tif 000026
【図２１】
2004501561.tif 000027
【図２２】
2004501561.tif 000028
【図２３】
2004501561.tif 000029
【国際公開パンフレット】
2004501561.tif 000030
2004501561.tif 000031
2004501561.tif 000032
2004501561.tif 000033
2004501561.tif 000034
2004501561.tif 000035
2004501561.tif 000036
2004501561.tif 000037
2004501561.tif 000038
2004501561.tif 000039
2004501561.tif 000040
2004501561.tif 000041
2004501561.tif 000042
2004501561.tif 000043
2004501561.tif 000044
2004501561.tif 000045
2004501561.tif 000046
2004501561.tif 000047
2004501561.tif 000048
2004501561.tif 000049
2004501561.tif 000050
2004501561.tif 000051
2004501561.tif 000052
2004501561.tif 000053
2004501561.tif 000054
2004501561.tif 000055
2004501561.tif 000056
2004501561.tif 000057
2004501561.tif 000058
2004501561.tif 000059
2004501561.tif 000060
2004501561.tif 000061
2004501561.tif 000062
2004501561.tif 000063
2004501561.tif 000064
2004501561.tif 000065
2004501561.tif 000066
2004501561.tif 000067
2004501561.tif 000068
2004501561.tif 000069
2004501561.tif 000070
2004501561.tif 000071
2004501561.tif 000072
2004501561.tif 000073
2004501561.tif 000074
2004501561.tif 000075
2004501561.tif 000076
2004501561.tif 000077
2004501561.tif 000078
2004501561.tif 000079
2004501561.tif 000080
2004501561.tif 000081
2004501561.tif 000082
2004501561.tif 000083
2004501561.tif 000084
【国際公開パンフレット（コレクトバージョン）】
2004501561.tif 000085
2004501561.tif 000086
【国際調査報告】
2004501561.tif 000087
2004501561.tif 000088
2004501561.tif 000089
2004501561.tif 000090
2004501561.tif 000091